【手続補正書】
【提出日】平成30年6月28日(2018.6.28)
【手続補正１】
【補正対象書類名】明細書
【補正対象項目名】０００９
【補正方法】変更
【補正の内容】
【０００９】
本発明に係るサーバ装置は、通信機器から計算データを受信する計算データ受信手段と、ユーザによって選択可能に設定された条件であって、前記計算データ受信手段により受信された計算データを統合するための条件に応じて前記計算データ受信手段により受信された計算データを統合した画像統合データ及び前記統合するための条件を設定するための操作子を含んだ表示画面となるようなデータを生成し、前記データを外部機器に送信する統合データ送信手段と、を備えたことを特徴としている。
【手続補正２】
【補正対象書類名】明細書
【補正対象項目名】００１０
【補正方法】変更
【補正の内容】
【００１０】
本発明に係る通信機器は、サーバ装置に計算データを送信する計算データ送信手段と、前記計算データ送信手段により送信された計算データを前記計算データ送信手段により送信された計算データを統合するための条件に応じて統合した画像統合データ及び前記統合するための条件を設定するための操作子を含んだ表示画面を、前記サーバ装置から受信する統合データ受信手段と、を備えたことを特徴としている。
【手続補正３】
【補正対象書類名】特許請求の範囲
【補正対象項目名】全文
【補正方法】変更
【補正の内容】
【特許請求の範囲】
【請求項１】
通信機器から計算データを受信する計算データ受信手段と、
ユーザによって選択可能に設定された条件であって、前記計算データ受信手段により受信された計算データを統合するための条件に応じて前記計算データ受信手段により受信された計算データを統合した画像統合データ及び前記統合するための条件を設定するための操作子を含んだ表示画面となるようなデータを生成し、前記データを外部機器に送信する統合データ送信手段と、
を備えたことを特徴とするサーバ装置。
【請求項２】
前記計算データ受信手段は、通信機器からグループ識別符号に対応付けられた計算データを受信し、
前記計算データ受信手段により受信された計算データを前記グループ識別符号に対応付けて登録する計算データ登録手段を更に備え、
前記統合データ送信手段は、
ユーザによって選択可能に設定された条件であって、前記計算データ登録手段により登録された計算データを統合するための条件を応じて前記計算データ登録手段により登録された計算データを統合した画像統合データ及び前記統合するための条件を設定するための操作子を含んだ表示画面となるようなデータを生成し、前記データを外部機器に送信する特徴とする請求項１に記載のサーバ装置。
【請求項３】
前記計算データ受信手段は、前記通信機器からグループ識別符号に対応付けられた計算機能と当該計算機能に関する計算データを受信し、
前記計算データ登録手段は、前記計算データ受信手段により受信された計算機能と当該計算機能に関する計算データをグループ識別符号に対応付けて登録し、
前記計算データ登録手段により登録された計算データを統合するための条件として計算機能の種類を含み、外部機器からユーザによって選択された計算機能の種類を受信して設定する計算機能受信設定手段を有し、
前記統合データ送信手段は、前記計算機能受信設定手段により設定された計算機能の種類に応じて前記計算データ登録手段により登録された該当する計算機能の種類の計算データを統合した画像統合データ及び前記統合するための条件を設定するための操作子を含んだ表示画面となるようなデータを生成し、前記データを外部機器に送信する、
ことを特徴とする請求項２に記載のサーバ装置。
【請求項４】
前記計算データ登録手段により登録された計算データを統合するための条件は、当該計算データの個別選択情報を含み、外部機器からユーザによって選択された計算データの個別選択情報を受信して設定する個別選択情報受信設定手段を有し、
前記統合データ送信手段は、前記個別選択情報受信設定手段により設定された計算データの個別選択情報に応じて前記計算データ登録手段により登録された該当する計算データを統合した画像統合データ及び前記統合するための条件を設定するための操作子を含んだ表示画面となるようなデータを生成し、前記データを外部機器に送信する、
ことを特徴とする請求項２または請求項３に記載のサーバ装置。
【請求項５】
前記計算データ受信手段は、通信機器から生徒端末の特定情報とグループ識別符号に対応付けられた計算データを受信し、
前記計算データ登録手段は、前記計算データ受信手段により受信された計算データをグループ識別符号に対応付けて生徒端末の特定情報毎に登録し、
前記計算データ登録手段により登録された計算データを統合するための条件として前記生徒端末の特定情報毎に登録された全データを対象にするか又は最新データを対象にするかのデータ選択情報を含み、外部機器からユーザによって選択されたデータ選択情報を受信して設定するデータ選択情報受信設定手段を有し、
前記統合データ送信手段は、前記データ選択情報受信設定手段により設定されたデータ選択情報に応じて、前記計算データ登録手段により前記生徒端末の特定情報毎に登録された各計算データの全データ又は最新データを統合した画像統合データ及び前記統合するための条件を設定するための操作子を含んだ表示画面となるようなデータを生成し、前記データを外部機器に送信する、
ことを特徴とする請求項２ないし請求項４の何れか１項に記載のサーバ装置。
【請求項６】
前記ユーザによって選択されて設定された前記計算データを統合するための条件を登録する条件登録手段を備え、前記統合データ送信手段は、前記条件登録手段により前記ユーザによって選択されて設定された条件が登録されている場合は、当該登録された条件に応じて前記計算データ登録手段により登録された計算データを統合した画像統合データ及び前記統合するための条件を設定するための操作子を含んだ表示画面となるようなデータを生成し、前記データを外部機器に送信する登録条件対応統合データ送信手段を有する、
ことを特徴とする請求項２ないし請求項５の何れか１項に記載のサーバ装置。
【請求項７】
前記計算データ受信手段により、前記通信機器からグループ識別符号に対応付けられた計算機能と当該計算機能に関する計算データを受信した際に、当該受信した計算データの計算機能が前記計算機能受信設定手段により設定された計算機能の種類と異なる場合は、計算機能が異なる旨のエラー情報を前記外部機器に送信するエラー情報送信手段を備えた、
ことを特徴とする請求項３に記載のサーバ装置。
【請求項８】
サーバ装置に計算データを送信する計算データ送信手段と、
前記計算データ送信手段により送信された計算データを前記計算データ送信手段により送信された計算データを統合するための条件に応じて統合した画像統合データ及び前記統合するための条件を設定するための操作子を含んだ表示画面を、前記サーバ装置から受信する統合データ受信手段と、
を備えたことを特徴とする通信機器。
【請求項９】
サーバ装置のコンピュータを制御するための方法であって、
通信機器から計算データを受信し、
前記受信された計算データを統合するための条件をユーザによって選択可能に設定し、
前記設定された条件に応じて前記受信された計算データを統合した画像統合データ及び前記統合するための条件を設定するための操作子を含んだ表示画面となるようなデータを生成し、前記データを外部機器に送信する、
サーバ装置の制御方法。
【請求項１０】
サーバ装置のコンピュータを制御するためのプログラムであって、
前記コンピュータを、
通信機器から計算データを受信する計算データ受信手段と、
前記計算データ受信手段により受信された計算データを統合するための条件をユーザによって選択可能に設定する条件設定手段と、
前記条件設定手段により設定された条件に応じて前記計算データ受信手段により受信された計算データを統合した画像統合データ及び前記統合するための条件を設定するための操作子を含んだ表示画面となるようなデータを生成し、前記データを外部機器に送信する統合データ送信手段、
として機能させるためのコンピュータ読み込み可能なプログラム。
【請求項１１】
通信機器のコンピュータを制御するためのプログラムであって、
前記コンピュータを、
サーバ装置に計算データを送信する計算データ送信手段と、
前記計算データ送信手段により送信された計算データを統合するための条件をユーザ操作に応じて設定する条件設定手段と、
前記計算データ送信手段により送信された計算データを前記条件設定手段により設定された条件に応じて統合した画像統合データ及び前記統合するための条件を設定するための操作子を含んだ表示画面となるようなデータを、前記サーバ装置から受信する統合データ受信手段、
として機能させるためのコンピュータ読み込み可能なプログラム。